(57)【要約】【課題】  飲料や食物等を長時間冷却することができるとともに、食物を濡らさずその飲料や食物が冷えている印象を与えられる冷却部材およびこの冷却部材の製造方法を提供する。【解決手段】  本発明の冷却部材１は、氷形状に形成され、内部に密封された密封空間７を有する容器３と、この容器３の密封空間７に充填された保冷剤５とを備えており、これにより、飲料や食物等を長時間冷却することができるとともに、食物を濡らさずその飲料や食物が冷えている印象を与えることができ、特に夏などの暑い時期に、食欲を促進することができる。【選択図】      図２
2006057979.tif 000002
【特許請求の範囲】
【請求項１】
氷形状に形成され、内部に密封された密封空間を有する容器と、
前記容器の前記密封空間に充填された保冷剤と、
を備えていることを特徴とする冷却部材。
【請求項２】
前記容器は、アクリル樹脂により構成されていることを特徴とする請求項１に記載の冷却部材。
【請求項３】
氷の型により氷形状の容器を成形する成形工程と、
成形された前記容器に保冷剤を収納する空洞を形成する空洞形成工程と、
前記容器の前記空洞に保冷剤を充填する充填工程と、
前記保冷剤が充填された前記空洞を密封して、密封空間を形成する密封工程と、
を備えていることを特徴とする冷却部材の製造方法。
【発明の詳細な説明】
【技術分野】
【０００１】  本発明は、飲料や食物等を冷却する冷却部材に関する。
【背景技術】
【０００２】  一般に、夏等の暑い時期には、飲料に氷を入れて冷たくしてから飲むが、氷が溶けると飲料の味が薄くなってしまう。
これを防止するため、従来においては、グラス内に氷を入れる部屋を形成する技術（特許文献１参照）、コースター内に保冷剤を内蔵した技術（特許文献２参照）等が知られている。【０００３】
【特許文献１】      特開２００３−２５０６８１号公報
【特許文献２】      特開兵９−１９３９４０号公報
【発明の開示】
【発明が解決しようとする課題】
【０００４】  しかし、特許文献１および２に記載の従来技術では、グラス内に氷が入っておらず、冷え難いため、冷えている印象を与えられず、夏等の暑い時期に、飲む意欲（食欲）を促進し難いという問題がある。【０００５】  そこで、本発明は、飲料や食物等を長時間冷却することができるとともに、食物を濡らさずその飲料や食物が冷えている印象を与えられる冷却部材およびこの冷却部材の製造方法を提供することを目的とする。
【課題を解決するための手段】
【０００６】  前記課題を解決するために、請求項１に記載された発明は、氷形状に形成され、内部に密封された密封空間を有する容器と、前記容器の前記密封空間に充填された保冷剤と、を備えていることを特徴とする。
なお、氷形状とは、氷の形状をなしているものを言い、直方体、立方体はもちろん、球形状、棒状、或いは、いわゆるカチ割氷のような砕氷等の複雑な形状等も含むものである。【０００７】  請求項２に記載された発明は、請求項１に記載された発明において、前記容器は、アクリル樹脂により構成されていることを特徴とする請求項１に記載の冷却部材。【０００８】  請求項３に記載された発明は、氷の型により氷形状の容器を成形する成形工程と、成形された前記容器に保冷剤を収納する空洞を形成する空洞形成工程と、前記容器の前記空洞に保冷剤を充填する充填工程と、前記保冷剤が充填された前記空洞を密封して、密封空間を形成する密封工程と、を備えていることを特徴とする冷却部材の製造方法である。
【発明の効果】
【０００９】  本発明によれば、冷やした飲み物や食べ物の冷たさを、長時間継続させられるとともに、食物を濡らさずその飲料や食物が冷えている印象を与えることができる。
【発明を実施するための最良の形態】
【００１０】  以下に、添付図面を参照して、本発明の実施の形態を詳細に説明する。図１は本実施の形態に係る冷却部材を用いた状態を示す図、図２は図１の保冷剤の断面図である。
図１および図２に示すように、冷却部材１は、無色透明の容器３と、この容器３内に充填された保冷剤５とを備えている。容器３は、アクリル樹脂により立方体の氷形状に形成されており、その内部に保冷剤５が充填された密封空間７が形成されている。【００１１】  上記構成の冷却部材１は、以下のようにして製造される。
すなわち、容器３の材料であるアクリル樹脂を型に流し込んで固めて、直方体の氷形状の容器３を成形した（成形工程）後、この容器３の内部に球形状の空洞９を形成する（空洞形成工程）。この空洞形成工程において、空洞９は、成形工程で成形した容器３を半分に割った分割容器にして、これらの分割容器のそれぞれの切断面を半球形状に掘ることにより形成される。
そして、各分割容器の空洞９にそれぞれ保冷剤５を充填した（充填工程）後、各分割容器の切断面同士を接着剤により接合して、空洞を密封して密封空間７を形成する（密封工程）とともに、内部の密封空間７に保冷剤５が充填された容器３からなる冷却部材１が製造される。【００１２】  この冷却部材１を冷蔵庫に入れて冷やした後、図１に示すように、飲料１３が注がれたグラス１１に、上記冷却部材１を入れることにより、飲料１３を冷却することができ、飲料１３の冷たさを長時間持続させることができる。また、飲料１３に氷形状の冷却部材１が入っているので、飲む人に飲料１３が冷えている印象を与えることができ、特に夏等の暑い時期に、飲む意欲（食欲）を促進することができる。【００１３】  また、一般釣な氷とは異なり、温度の上昇により溶けて形が崩れることがないとともに、飲料内に混在することがないので、飲料１３が薄くなったり、味が変わったり、食物を濡らすことを防止することができる。【００１４】  また、冷蔵庫に入れておくだけで、冷却部材１が使用可能になるため、従来のように製氷機を用いて氷を製造する必要がないため、水道代の節約および厨房の省スペース化を図ることができる。【００１５】  本発明は、上記実施の形態に限定されず、その要旨を逸脱しない範囲内において種々の変形が可能である。
例えば、上記実施の形態においては、容器３を無色透明にしたが、これに限定されず、様々な色、文字、絵を付したりして、多彩なバリエーションを作るようにしても良い。すなわち、容器３は、非常に透明度が高く、様々な色を付けることができるアクリル樹脂から構成されているため、このアクリル樹脂に直接、色付けや、文字、絵を入れたりすることにより、この容器３を有する冷却部材１をグラス１１内に入れると、見た目にも綺麗で、楽しいため（意匠性が高まるため）、おいしく食事をすることができる。【００１６】  また、上記実施の形態では、冷却部材１は立方体形状に形成されていたがこれに限定されず、直方体形状、球形状、棒状、或いは、いわゆるカチ割氷やロックアイスのような砕氷等の複雑な形状等、適宜変更可能である。【００１７】  また、上記実施の形態では、各分割容器の切断面を接合することにより密封空間５を形成したが、これに限定されず、例えば、各分割容器の切断面を接合してなる容器３に、保冷剤の充填口となる孔を形成し、この孔から保冷剤を充填した後に、孔を接着剤等により塞いで、密封空間５を形成するようにしても良く、密封空間５の形成方法は適宜変更可能である。【００１８】  また、上記冷却部材１は、飲料１３を冷やすためのみではなく、魚の下にひいたり、フルーツの横に置いたり等することができる。このようにすると、見た目も良く、冷却でき、食物を濡らさずに冷えている印象を与えることができるため、特に夏等の暑い時期においては、食欲を促進することができる。さらに、上記冷却部材１は、冷たい水枕を作るために水の入った袋に詰める等することもでき、様々な用途に使用することが可能である。【００１９】  また、上記実施形態では、容器３をアクリル樹脂により構成したが、例えば、プラスチック等の樹脂や、ガラス等を用いることができ、その材質は特に限定されるものではないことは言うまでも無いが、熱伝導率の良い材質であることが好ましい。
【図面の簡単な説明】
【００１９】
【図１】  本実施の形態に係る冷却部材を用いた状態を示す図である。
【図２】  図２は図１の保冷剤の断面図である。
【符号の説明】
【００２０】１      冷却部材
３      容器
５      保冷剤
７      密封空間
９      空洞
１１    グラス
１３    飲料
【図１】
2006057979.tif 000003
【図２】
2006057979.tif 000004